(57)【特許請求の範囲】
【請求項１】
柱が貫通状態で配置され当該柱の外径寸法より大きな第１貫通孔を備えデッキ床をなす複数のデッキ材と、
前記柱に設けられ当該柱を囲み外側に延出している柱側カバーと、
前記デッキ材に設けられ前記第１貫通孔の内側に延出しており前記柱の外径寸法より大きな第２貫通孔を備えたデッキ側カバーと、
を有し、
前記柱側カバーと前記デッキ側カバーとは、全周において上下方向に重なる重なり代を有し、
前記第１貫通孔は、互いに隣接する２つの前記デッキ材により形成されており、
前記柱側カバーは、前記柱が貫通状態で配置される第３貫通孔を形成する複数の部材を有し、
前記デッキ側カバーは、前記第２貫通孔を形成する複数の部材を有していることを特徴とするデッキ床ユニット。
【請求項２】
柱が貫通状態で配置され当該柱の外径寸法より大きな第１貫通孔を備えデッキ床をなすデッキ材と、
前記柱に設けられ当該柱を囲み外側に延出している柱側カバーと、
前記デッキ材に設けられ前記第１貫通孔の内側に延出しており前記柱の外径寸法より大きな第２貫通孔を備えたデッキ側カバーと、
を有し、
前記柱側カバーと前記デッキ側カバーとは、前記柱側カバーが前記デッキ側カバーより下に設けられ、全周において上下方向に重なる重なり代を有していることを特徴とするデッキ床ユニット。
【請求項３】
請求項１または請求項２に記載のデッキ床ユニットであって、
前記重なり代には緩衝材が設けられていることを特徴とするデッキ床ユニット。
【請求項４】
請求項３に記載のデッキ床ユニットであって、
前記緩衝材は前記柱の周方向において隙間が設けられていることを特徴とするデッキ床ユニット。
【発明の詳細な説明】
【技術分野】
【０００１】
本発明は、デッキ床ユニットに関する。
【背景技術】
【０００２】
複数のデッキ材が当該デッキ材の長手方向と交差する交差方向に並べて配置されたデッキ床が知られている（例えば、特許文献１参照）。このデッキ床の上には、フェンスを固定する為の複数の支柱が設けられている。また、デッキ床が設けられる建物の近傍に、建物の前面に躯体固定されることなく立設される支柱を備えた建物添設用の独立構造物が知られている（例えば、特許文献２参照）。
【先行技術文献】
【特許文献】
【０００３】
【特許文献１】特開２００８−８０２６号公報
【特許文献２】特開２０１２−１４０８３１号公報
【発明の概要】
【発明が解決しようとする課題】
【０００４】
上記のようなデッキ床と、建物添設用の独立構造物でなる例えば屋根とを施工する場合には、デッキ床に設けられた開口に屋根の支柱が貫通される。このとき、開口と支柱とは間隔が空けられているが、間隔を広く設定すると、開口と支柱との間から物が落下するという課題がある。一方開口と支柱との間隔を狭く設定すると、建物に固定されていない支柱が揺れた際に、柱がデッキ床に接触してデッキ床または支柱を損傷する虞がある。
【０００５】
本発明は、かかる課題に鑑みてなされたものであり、その目的とするところは、柱とデッキ材とが接触しにくく、デッキ材に設けられた開口から物が落下しにくいデッキ床ユニットを提供することにある。
【課題を解決するための手段】
【０００６】
かかる目的を達成するために本発明のデッキ床ユニットは、柱が貫通状態で配置され当該柱の外径寸法より大きな第１貫通孔を備えデッキ床をなす複数のデッキ材と、前記柱に設けられ当該柱を囲み外側に延出している柱側カバーと、前記デッキ材に設けられ前記第１貫通孔の内側に延出しており前記柱の外径寸法より大きな第２貫通孔を備えたデッキ側カバーと、を有し、前記柱側カバーと前記デッキ側カバーとは、全周において上下方向に重なる重なり代を有し、前記第１貫通孔は、互いに隣接する２つの前記デッキ材により形成されており、前記柱側カバーは、前記柱が貫通状態で配置される第３貫通孔を形成する複数の部材を有し、前記デッキ側カバーは、前記第２貫通孔を形成する複数の部材を有していることを特徴とするデッキ床ユニットである。
【０００７】
このようなデッキ床ユニットによれば、デッキ側カバーに設けられている第２貫通孔は柱の外径寸法より大きいので、デッキ床を貫通する状態で配置されている柱に揺れが生じた場合であっても、柱がデッキ床に衝突することを抑制することが可能である。
【０００８】
また、柱に設けられて外側に延出している柱側カバーとデッキ材に設けられて第１貫通孔の内側に延出しているデッキ側カバーとが全周において上下方向に重なる重なり代を有しているので、柱の静止状態はもちろんのこと、柱に揺れが生じた場合であってもデッキ床に設けられた第１貫通孔と柱との間にて上下方向に貫通する隙間が生じることを防止することが可能である。このため、支柱とデッキ材とが接触しにくく、デッキ材に設けられた開口、すなわち第１貫通孔から物が落下しにくいデッキ床ユニットを提供することが可能である。
【０００９】
また、柱が貫通状態で配置される第１貫通孔は２つのデッキ材により形成されており、第２貫通孔および第３貫通孔は複数の部材で形成されているので、長尺の柱を第１貫通孔、第２貫通孔、第３貫通孔のいずれをも挿通させることなく柱を貫通状態で配置することが可能である。このため、施工性に優れている。また、既存の柱であっても容易に柱側カバーとデッキ側カバーとを備えたデッキ床ユニットを施工することが可能である。
【００１０】
また、柱が貫通状態で配置され当該柱の外径寸法より大きな第１貫通孔を備えデッキ床をなすデッキ材と、前記柱に設けられ当該柱を囲み外側に延出している柱側カバーと、前記デッキ材に設けられ前記第１貫通孔の内側に延出しており前記柱の外径寸法より大きな第２貫通孔を備えたデッキ側カバーと、を有し、前記柱側カバーと前記デッキ側カバーとは、前記柱側カバーが前記デッキ側カバーより下に設けられ、全周において上下方向に重なる重なり代を有していることを特徴とするデッキ床ユニットである。
【００１１】
このようなデッキ床ユニットによれば、柱を囲み外側に延出している柱側カバーが第１貫通孔の内側に延出しているデッキ側カバーの下に設けられているので、デッキ床上を歩く人が、柱から外側に延出している柱側カバーの先端に接触することを防止することが可能である。
【００１２】
かかるデッキ床ユニットであって、前記重なり代には緩衝材が設けられていることが望ましい。
このようなデッキ床ユニットによれば、柱側カバーとデッキ側カバーとの重なり代に設けられた緩衝材により柱側カバーとデッキ側カバーとが接触することを防止することが可能である。このため、柱側カバーとデッキ側カバーとの摩耗や異常音の発生を防ぎつつ柱とデッキ材との間が上下方向に貫通することを防止することが可能である。
【００１３】
かかるデッキ床ユニットであって、前記緩衝材は前記柱の周方向において隙間が設けられていることが望ましい。
このようなデッキ床ユニットによれば、柱側カバーとデッキ側カバーとの間に水が浸入した場合であっても、緩衝材の隙間から水を下方に排出することが可能である。
【発明の効果】
【００１４】
本発明によれば、柱とデッキ材とが接触しにくく、デッキ材に設けられた開口から物が落下しにくいデッキ床ユニットを提供することが可能である。
【図面の簡単な説明】
【００１５】
【図１】本実施形態に係るデッキ床ユニットを示す斜視図である。
【図２】柱が貫通状態で設けられているカバー部材を示す斜視図である。
【図３】取り外されているカバー部材を示す斜視図である。
【図４】第１貫通孔を塞ぐカバー部材を示す縦断面図である。
【図５】柱が揺れた状態のカバー部材を示す縦断面図である。
【図６】柱側カバーの第１変形例を示す平面図である。
【図７】柱側カバーの第２変形例を示す平面図である。
【発明を実施するための形態】
【００１６】
以下、本発明の一実施形態に係るデッキ床ユニットについて図面を参照して説明する。
本実施形態のデッキ床ユニット１は、図１、図２に示すように、建物２の躯体等に固定されることなく、建物２に近接させて設けられた屋根３を支持する角パイプ状の柱４が立設されている、例えばテラス等に設けられるデッキ床ユニット１である。
【００１７】
以下の説明においては、施工されたデッキ床ユニット１を建物２に向かって見たときに、上下となる方向を上下方向、左右となりデッキ材１１ａが並べられる方向を左右方向または幅方向、建物２側と反建物側に向かう方向であってデッキ材１１ａの長手方向を奥行き方向として示す。デッキ床ユニット１の各部位であっても、また、デッキ床ユニット１を構成する各部材については単体の状態であっても、施工後のデッキ床ユニット１の状態にて上下方向、左右方向または幅方向、奥行き方向となる方向にて方向を特定して説明する。
【００１８】
本実施形態のデッキ床ユニット１は、複数の束材１２ａ、束材１２ａを繋ぐように架け渡される大引き（不図示）等を有する床組１２と、床組に支持され床面をなす複数のデッキ材１１ａ、及び、所定方向に沿って並べられた複数のデッキ材１１ａの周囲に設けられる幕板１１ｂとを有するデッキ床本体１１と、を有している。
【００１９】
デッキ床本体１１には、デッキ床ユニット１と独立してテラス等から立設されている柱４が貫通状態で配置される第１貫通孔１１ｃが設けられており、柱４と第１貫通孔１１ｃとの間を塞ぐカバー部材１３もデッキ床ユニット１は有している。ここで、デッキ床本体１１に形成されている第１貫通孔１１ｃは、図１において右側に位置する柱４が貫通状態で配置される場合のように隣り合う２つのデッキ材１１ａに亘って設けられている、或いは、図１において左側に位置する柱４が貫通状態で配置される場合のように１枚のデッキ材１１ａに設けられている。以下の説明では、第１貫通孔１１ｃが２つのデッキ材１１ａに亘って設けられている場合を例に挙げて説明する。
【００２０】
本実施形態においては、図３、図４に示すように、隣り合う２つのデッキ材１１ａの対向する部位に、各々互いに対向する側と反対側に窪むように同形状に切り欠かれた凹部１１ｄが形成されており、２つのデッキ材１１ａが隣接されたときに１つの第１貫通孔１１ｃが形成されるように構成されている。第１貫通孔１１ｃは、貫通状態で配置される柱４の外径寸法より大きな矩形状をなしている。ここで、２つのデッキ材１１ａに亘って設けられる第１貫通孔１１ｃは、必ずしも同形状に切り欠かれていなくとも構わない。また、凹部１１ｄが、隣接する２つのデッキ材１１ａの一方のみに設けられており、他方のデッキ材１１ａと並べられたときに矩形状の第１貫通孔１１ｃが形成される構成であっても構わない。
【００２１】
カバー部材１３は、柱４に固定される柱側カバー１４と、デッキ材１１ａ側に固定されるデッキ側カバー１７と、を有している。
柱側カバー１４は、平面視コ字状をなす同一の部材が、左右方向における柱４の両側から柱４に固定され、２つの柱側カバー１４により柱４を囲むような矩形状をなしている。２つの柱側カバー１４が柱４に取り付けられると、２つの柱側カバー１４にて中央に形成される孔が、柱４が貫通状態で配置される第３貫通孔１４ａに相当する。各々の柱側カバー１４は、柱４の外周面からほぼ水平に柱より外側に延出されている柱側延出板部１５と、柱側延出板部１５と繋がって垂設され柱４にビス止めされる柱固定部１６とを有している。
【００２２】
柱側延出板部１５は、柱４の左側面４ａまたは右側面４ｂに沿って配置される柱側面板部１５ａと、柱側面板部１５ａと繋がって柱４の奥行き方向における建物２側の面または反建物側の面の半分に沿って各々配置される２つの柱正面板部１５ｂと、を有している。柱固定部１６は、柱側面板部１５ａの柱４側の縁から垂設されている。
【００２３】
柱４に固定された２つの柱側カバー１４は、柱側延出板部１５が柱４の全周に渡って配置され、その外周縁は、第１貫通孔１１ｃの内周縁より小さく形成されている。柱側カバー１４の外周縁と第１貫通孔１１ｃの内周縁とは、図５に示すように、独立して立設され第１貫通孔１１ｃの中央に貫通状態で配置された柱４が風等により揺れた際に想定される柱４の変位量より大きく間隔が空けられている。
【００２４】
デッキ側カバー１７は、平面視コ字状をなす同一の板状の部材が、第１貫通孔１１ｃを形成する２つのデッキ材１１ａに各々固定され、２つのデッキ側カバー１７により柱４を囲むように構成されている。２つのデッキ側カバー１７が隣接しているデッキ材１１ａに各々取り付けられたときに、２つのデッキ側カバー１７にて、それらの中央に形成される孔が、柱４が貫通状態で配置される第２貫通孔１７ａに相当する。各々のデッキ側カバー１７は、第１貫通孔１１ｃの内側に向かってほぼ水平に延出されている。
【００２５】
デッキ側カバー１７は、柱４の左側面４ａまたは右側面４ｂに沿って配置されるデッキ側面板部１７ｂと、デッキ側面板部１７ｂと繋がって柱４の建物２側の面または反建物側の面の半分に沿って各々配置される２つのデッキ正面板部１７ｃと、を有している。
【００２６】
デッキ側カバー１７は、第１貫通孔１１ｃを形成する２つのデッキ材１１ａの凹部１１ｄから張り出すように、デッキ材１１ａの上にビス止めされ、各々デッキ材１１ａに固定された２つのデッキ側カバー１７のデッキ正面板部１７ｃ同士が突き合わされて第２貫通孔１７ａが形成される。
【００２７】
隣接する２つのデッキ材１１ａの、固定された２つのデッキ側カバー１７の内周縁は、２つの柱側カバー１４の柱側延出板部１５の外周縁より小さく形成されている。このため、デッキ側カバー１７がデッキ材１１ａに、柱側カバー１４が柱４にそれぞれ固定されると、デッキ側カバー１７と柱側延出板部１５とは、上下方向において重なる重なり代１３ａが形成される。デッキ側カバー１７の内周縁と柱４の外周面とは、図５に示すように、独立して立設され第１貫通孔１１ｃの中央に貫通状態で配置された柱４が風等により揺れた際に想定される柱４の変位量より大きく間隔が空けられている。
【００２８】
柱側カバー１４は、柱側延出板部１５がデッキ側カバー１７の下面と上下方向にわずかに間隔を空けて配置されるように柱固定部１６が柱４にビス止めされている。デッキ側カバー１７と、柱側カバー１４と柱側延出板部１５との重なり代１３ａには、軟質の合成樹脂、例えばブチルゴムなどで形成された緩衝材１８がデッキ側カバー１７及び柱側延出板部１５に接触するように設けられている。緩衝材１８は、柱４の周方向において複数に分かれて設けられており、互いに隣り合う緩衝材１８同士は互いに間隔が空けられて隙間Ｓが設けられている。緩衝材１８は、柱側カバー１４またはデッキ側カバー１７のいずれに設けられていてもよい。
【００２９】
本実施形態のデッキ床ユニット１によれば、デッキ材１１ａに固定されたデッキ側カバー１７により形成される第２貫通孔１７ａは柱４の外形形状より大きな矩形状をなしているので、独立して立設された柱４に揺れが生じた場合であっても、柱４がデッキ床１０に衝突して損傷することを抑制することが可能である。
【００３０】
また、柱４に設けられて外側に延出している柱側カバー１４と、デッキ材１１ａに設けられて第１貫通孔１１ｃの内側に延出しているデッキ側カバー１７とが全周において上下方向に重なる重なり代１３ａを有しているので、柱４の静止状態はもちろんのこと、柱４に揺れが生じた場合であってもデッキ床１０に設けられた第１貫通孔１１ｃと柱４との間に上下方向に貫通する隙間が生じることを防止することが可能である。このため、柱４とデッキ材１１ａとが接触しにくく、デッキ材１１ａに設けられた第１貫通孔１１ｃから物が落下しにくいデッキ床ユニット１を提供することが可能である。
【００３１】
また、柱４が貫通状態で配置される第１貫通孔１１ｃは隣り合う２つのデッキ材１１ａにより形成されており、第２貫通孔１７ａおよび第３貫通孔１４ａは２つの部材により形成される孔なので、長尺の柱４を第１貫通孔１１ｃ、第２貫通孔１７ａ、第３貫通孔１４ａのいずれをも挿通させることなく、柱４の側方から柱側カバー１４及びデッキ側カバー１７を囲むように取り付けることにより、柱４が貫通状態となるように配置することが可能である。このため、施工性に優れている。また、既に柱４が設けられている施工現場にデッキ床ユニット１を設ける場合あっても容易に柱側カバー１４とデッキ側カバー１７とを備えることが可能である。
【００３２】
また、柱４を囲み外側に延出している柱側カバー１４が第１貫通孔１１ｃの内側に延出しているデッキ側カバー１７の下に設けられているので、デッキ床１０上を歩く人が、柱４から外側に延出している柱側カバー１４に接触することを防止することが可能である。
【００３３】
また、柱側カバー１４とデッキ側カバー１７との重なり代１３ａに設けられた緩衝材１８により柱側カバー１４とデッキ側カバー１７とが接触することを防止することが可能である。このため、柱側カバー１４とデッキ側カバー１７の摩耗や、柱側カバー１４とデッキ側カバー１７との接触による異常音の発生を防ぎつつ柱４とデッキ材１１ａとの間が上下方向に貫通することを防止することが可能である。
【００３４】
また、緩衝材１８は柱４の周方向において隙間Ｓが設けられているので、たとえ柱側カバー１４とデッキ側カバー１７との間に水が浸入した場合であっても、緩衝材１８の隙間から下方に水を排出することが可能である。
【００３５】
上記実施形態においては、柱側カバー１４及びデッキ側カバー１７が各々２つの部材により構成されている例について説明したが、１つの部材で構成されて第２貫通孔１７ａまたは第３貫通孔１４ａを備えていても、また、３つ以上の部材にて構成されていても構わない。
【００３６】
上記実施形態においては、柱側カバー１４が、平面形状がコ字状をなす同一の２つの部材で構成されている例について説明したが、２つに分かれている場合であっても、コ字状でなくとも構わない。例えば、図６に示すように、角部で２つに分割されている柱側カバー１９であっても構わない。また、図７に示すように、一方の部材２０ａがコ字状をなし、他方の部材２０ｂがコ字の開放側を塞ぐような直線状に形成されるように、２つの部材２０ａ、２０ｂが同一の形状でない柱側カバー２０であっても構わない。
【００３７】
上記実施形態においては、デッキ側カバー１７が柱側カバー１４より上に位置する例について説明したが、これに限らず、デッキ側カバー１７が柱側カバー１４より下に配置されていても構わない。この場合には、柱側カバーが備える固定部を柱正面板部１５ｂの柱４側端部から垂設させて形成し、２つの柱側カバーの下に、デッキ側カバー１７を配置し、更にその下に各デッキ正面板部に亘るように、断面Ｌ字状の補強材を配置して柱側カバーとともに柱に固定することが望ましい。このように、補強材をデッキ側カバー１７の下に設けておくことにより、平板状をなして剛性が低いデッキ側カバー１７が、デッキ床の使用者に乗られたとしてもデッキ側カバー１７の変形を防止することが可能である。
【００３８】
上記実施形態においては、デッキ床１０に貫通状態で配置される柱４を、屋根３を支持する柱４としたが、これに限るものではない。例えば、パーゴラや柵など支持する柱であっても構わない。また、上記実施形態においては、デッキ床ユニット１とは独立して立設されている柱４が支持する屋根３が建物２の躯体等に固定されることなく建物２に近接させて設けられている例について説明したが、デッキ床ユニット１とは独立して立設されている柱であれば、柱が支持する屋根等は建物２の躯体等に固定されていても構わない。
【００３９】
また、上記実施形態においては、柱４がデッキ床ユニット１とは独立して立設されている例について説明したが、柱がデッキ床を形成するデッキ材を貫通する状態で配置されている形態であれば、柱は独立して立設されていなくとも構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  デッキ床ユニット、４  柱、１０  デッキ床、１１ａ  デッキ材、
１１ｃ  第１貫通孔、１３  カバー部材、１３ａ  重なり代、１４  柱側カバー、
１４ａ  第３貫通孔、１７  デッキ側カバー、１７ａ  第２貫通孔、１８  緩衝材、
１９  柱側カバー、２０  柱側カバー、
Ｓ  隙間、
【図１】
0006676425.tif 000002
【図２】
0006676425.tif 000003
【図３】
0006676425.tif 000004
【図４】
0006676425.tif 000005
【図５】
0006676425.tif 000006
【図６】
0006676425.tif 000007
【図７】
0006676425.tif 000008